(57)【要約】【課題】  液体で満たされたセル状領域中に配された移動板を交流電界の作用により移動させて表示を行う表示装置において上記交流電界の電圧を低くする。【解決手段】  セル状領域３０ａ、３０ｂ…を満たす透明液体２０の誘電率を、セル状領域３０ａ、３０ｂ…内を移動可能な移動板４０ａ、４０ｂ…の誘電率より大きくし、電界形成手段５０が形成した電界の作用により、セル状領域３０ａ、３０ｂ…内の移動板４０ａ、４０ｂ…の傾きを変化させて表示を行なう【選択図】          図１
2005173113.tif 000002
【特許請求の範囲】
【請求項１】
セル状領域を満たす透明液体と、前記セル状領域内を移動可能な移動板と、前記移動板に作用させる交流電界を形成する電界形成手段とを備え、前記電界形成手段が形成した電界の作用により、前記移動板の傾きを変化させて表示を行なう表示装置であって、
前記透明液体の誘電率が前記移動板の誘電率より大きいことを特徴とする表示装置。
【請求項２】
セル状領域を満たす透明液体と、前記セル状領域内を移動可能な移動板と、前記移動板に作用させる交流電界を形成する電界形成手段とを備え、前記電界形成手段が形成した電界の作用により、前記移動板の傾きを変化させて表示を行なう表示装置であって、
前記移動板の板面の面積に対する、該移動板を厚さ方向に切断したときの断面の最大面積の比率が０．０５以上、０．５以下であることを特徴とする表示装置。
【請求項３】
セル状領域を満たす透明液体と、前記セル状領域内を移動可能な移動板と、前記移動板に作用させる交流電界を形成する電界形成手段とを備え、前記電界形成手段が形成した電界の作用により、前記移動板の傾きを変化させて表示を行なう表示装置であって、
前記透明液体の誘電率が前記移動板の誘電率より大きく、かつ、前記移動板の板面の面積に対する、該移動板を厚さ方向に切断したときの断面の最大面積の比率が０．０５以上、０．５以下であることを特徴とする表示装置。
【請求項４】
前記セル状領域を複数備え、前記電界形成手段が、各セル状領域のそれぞれに対して互いに異なる交流電界の形成が可能なものであることを特徴とする請求項１から３のいずれか１項記載の表示装置。
【発明の詳細な説明】
【技術分野】
【０００１】
本発明は表示装置に関し、詳しくは、液体中に配された移動体を電界の作用により移動させて表示を行う表示装置に関するものである。
【背景技術】
【０００２】
従来より、液体中に分散された微粒子を電界の作用により移動させて表示を行う表示装置が知られている。このような表示装置としては、多数の微粒子を含む液体を内包したマイクロカプセルを２次元状に配列してマイクロカプセル毎に個別に電界を作用させ、白色を表示するときには電界の作用によりマイクロカプセル中の白色の微粒子を表示側に移動させ、黒色を表示するときには電界の作用によりマイクロカプセル中の黒色の微粒子を上記表示側に移動させて画像を表示する電子ペーパが知られている（特許文献１参照）。さらに、図１１に示すように、表示面８５に沿って並べられた液体８０が満たされているセル状領域８１ａ、８１ｂ…内のそれぞれに移動可能に配された移動板８２ａ、８２ｂ…に対して個別に交流電界を作用させ、交流電界中に蓄積される静電エネルギを最小化するように移動板８２ａ、８２ｂ…の傾きを変化させて表示を行う表示装置１１０が本出願人により検討されている。
【特許文献１】特開２０００−６６２４７号公報
【発明の開示】
【発明が解決しようとする課題】
【０００３】
ところで、上記移動板の傾きを変える高い交流電界を発生させるためには高電圧電源が必要となる。高電圧を発生させる場合、電気回路への負荷が大きくなり装置コストが高くなるので、この電圧を低くすることが求められている。しかしながら、上記電圧を低くすると移動板の動きが鈍くなることがあり、このような場合には正確な表示を行うことが難しくなる。
【０００４】
本発明は、上記事情に鑑みてなされたものであり、表示性能の低下を抑制しつつ、移動板の傾きを変える交流電界の電圧を低くすることができる表示装置を提供することを目的とするものである。
【課題を解決するための手段】
【０００５】
本発明の第１の表示装置は、セル状領域を満たす透明液体と、セル状領域内を移動可能な移動板と、移動板に作用させる交流電界を形成する電界形成手段とを備え、電界形成手段が形成した電界の作用により、移動板の傾きを変化させて表示を行なう表示装置であって、透明液体の誘電率が移動板の誘電率より大きいことを特徴とするものである。
【０００６】
本発明の第２の表示装置は、セル状領域を満たす透明液体と、セル状領域内を移動可能な移動板と、移動板に作用させる交流電界を形成する電界形成手段とを備え、電界形成手段が形成した電界の作用により、移動板の傾きを変化させて表示を行なう表示装置であって、移動板の板面の面積に対する、この移動板を厚さ方向に切断したときの断面の最大面積の比率が０．０５以上、０．５以下であることを特徴とするものである。
【０００７】
本発明の第３の表示装置は、セル状領域を満たす透明液体と、セル状領域内を移動可能な移動板と、移動板に作用させる交流電界を形成する電界形成手段とを備え、電界形成手段が形成した電界の作用により、移動板の傾きを変化させて表示を行なう表示装置であって、透明液体の誘電率が移動板の誘電率より大きく、かつ、移動板の板面の面積に対する、この移動板を厚さ方向に切断したときの断面の最大面積の比率が０．０５以上、０．５以下であることを特徴とするものである。
【０００８】
前記第１の表示装置、第２の表示装置、あるいは第３の表示装置は、前記セル状領域を複数備え、前記電界形成手段が各セル状領域のそれぞれに対して互いに異なる交流電界を形成可能なものとすることができる。
【０００９】
前記「移動板の板面の面積」は、移動板の厚さ方向と直交する平面に対しこの移動板を上記厚さ方向に投影した投影面積である。
【００１０】
前記「移動板を厚さ方向に切断したときの断面の最大面積」は、移動板を任意の位置で厚さ方向に切断して得られた断面の面積のうちの最大値である。
【発明の効果】
【００１１】
本発明者は上記課題に対して、電界形成手段によって形成された交流電界中の移動板に関し、この移動板の板面方向（移動板の厚さ方向と直交する方向）が上記交流電界の向きと一致する平行状態のときに蓄積される静電エネルギの大きさと、上記移動板の板面方向と直交する方向が上記交流電界の向きと一致する直交状態のときに蓄積される静電エネルギの大きさとの差（以後、静電エネルギ差という）が大きくなるにしたがって、移動板の傾きを変えて所定の表示を行うための上記交流電界の電圧を低くすることができることに注目し、この表示装置を構成している各部の材質や寸法を上記静電エネルギ差が大きくなるように種々検討した。その結果、上記静電エネルギ差を大きくするように各部の材質や寸法を定めることができるとの知見を得、かかる知見に基づいて本発明に至ったものである。
【００１２】
本発明の表示装置によれば、透明液体の誘電率を移動板の誘電率より大きくしたり、移動板の板面の面積に対する、この移動板を厚さ方向に切断したときの断面の最大面積の比率を０．０５以上、０．５以下としたり、あるいは、透明液体の誘電率を移動板の誘電率より大きくし、かつ、移動板の板面の面積に対する、この移動板を厚さ方向に切断したときの断面の最大面積の比率を０．０５以上、０．５以下とすることにより、上記静電エネルギ差を大きくすることができる。これにより、上記所定の表示を行うための交流電界の電圧を低くすることができるので、表示性能の低下を抑制しつつ交流電界の電圧を低くすることができる。
【００１３】
また、表示装置に上記セル状領域を複数備え、電界形成手段を、各セル状領域のそれぞれに対して互いに異なる交流電界の形成が可能なものとすれば、セル状領域における表示状態を各セル状領域毎に任意の状態に定めることができ、これにより、互いに異なる複数の画像の表示、さらには動画等の表示を行うことができる。
【発明を実施するための最良の形態】
【００１４】
以下、本発明の実施の形態について、図面を用いて説明する。図１は本発明の第１の実施の形態の反射型の表示装置の概略構成を示す斜視図、図２は移動板を表示させる様子を示す断面図、図３は対向基板を表示させる様子を示す断面図である。なお、図２および図３は図１の表示装置を図１中の矢印Ｊ方向から見た断面図である。
【００１５】
図１に示す第１の実施の形態の反射型の表示装置１０１は、セル状領域３０ａ、３０ｂ…（以後、まとめてセル状領域３０ともいう）を満たす透明液体２０と、セル状領域３０ａ、３０ｂ…内を移動可能な移動板４０ａ、４０ｂ（以後、まとめて移動板４０ともいう）と、移動板４０に作用させる交流電界を形成する電界形成手段５０とを備え、電界形成手段５０が形成した交流電界の作用により、移動板４０の傾きを変化させて表示を行なうものである。
【００１６】
この表示装置１００は、上記セル状領域３０ａ、３０ｂ…を区画するための構成として、透明基板１０と、この透明基板１０に対向して配置された対向基板１５と、透明基板１０と対向基板１５との間に配設された、透明基板１０と対向基板１５との間の領域Ｒｔを上記透明基板１０と対向基板１５との対向方向である縦方向（図中矢印Ｚ方向）と直交する方向である横方向（図中矢印Ｘ方向と矢印Ｙ方向とで形成される平面に平行な方向）に沿って並べられた上記セル状領域３０ａ、３０ｂ…に区画する隔壁２５ａ、２５ｂ…（以後、まとめて隔壁２５ともいう）とを備えている。なお、上記透明液体２０は、隔壁２５ａ、２５ｂ…と対向基板１５と透明基板１０とで区画されたセル状領域３０ａ、３０ｂ…に収容されている。
【００１７】
上記表示装置１０１は、電界形成手段５０による交流電界の作用により、移動板４０を、この移動板４０の板面方向（移動板４０の厚さ方向と直交する方向）が上記縦方向に一致する縦状態（図１中の移動板４０ｂ参照）、あるいは移動板４０の板面方向が上記縦方向と直交する方向である横方向（図中矢印Ｙ方向と矢印Ｘ方向とを含む面に平行な方向）に一致する横状態（図１中の移動板４０ａ参照）にして、移動板４０が横状態となっているときにはこの移動板４０を透明基板１０の側（図中矢印Ｈ１で示す）に表示させ、移動板４０が縦状態となっているときには対向基板１５を上記透明基板１０の側（以後、表示側ともいう）に表示させる。
【００１８】
電界形成手段５０は、セル状領域３０ａ、３０ｂ…のそれぞれに対して互いに異なる交流電界の形成が可能であり、各セル状領域３０毎に上記縦方向へ向かう交流電界を形成する第１電解形成手段５１と上記横方向へ向かう交流電界を形成する第２電解形成手段５２とを有し、上記２方向に向かう各交流電界の強さの比率を変えて移動板４０の傾きを変化させる。
【００１９】
第１電界形成手段５１は、上記交流電界を形成するための、セル状領域３０の透明基板１０の側に配置された透明な上電極５３と、セル状領域３０の対向基板１５の側に配置された透明な下電極５５と、上記対向して配置された上電極５３と下電極５５とに接続され両者の間に電位差を与える第１電源５７とを備えている。
【００２０】
第２電界形成手段５２は、セル状領域３０の右側（図１における右側）の隔壁２５に配置された透明な右電極５４と、セル状領域３０の左側（図１における左側）の隔壁２５に配置された透明な左電極５６と、右電極５４と左電極５６とに接続され両者の間に電位差を与える第２電源５８とを備えている。
【００２１】
また、対向基板１５は黒色に着色され、セル状領域３０内の移動板４０は、セル状領域３０ａ、３０ｂ…毎に互いに異なる色、例えば、移動板４０ａは赤色、移動板４０ｂは青色、移動板４０ｃは緑色に着色されている。
【００２２】
上記図１のセル状領域３０ａにおいては横状態となった赤色の移動板４０ａが最大輝度で表示され、図１のセル状領域３０ｂにおいては青色の移動板４０ｂが縦状態となり黒色の対向基板１５が表示される表示状態となっている。また、図１のセル状領域３０ｃにおいては緑色の移動板４０ｃが上記縦状態と横状態との間の状態である斜めに傾く状態となっており、この斜めに傾く状態となった緑色の移動板４０ｃと黒色の対向基板１５とが同時に表示された緑色の中間階調を示す表示状態となっている。
【００２３】
以下、電界形成手段５０による交流電界の作用により、セル状領域３０内の移動板４０を縦状態あるいは横状態にして表示を行う場合について説明する。
【００２４】
図２に示すように、第１電界形成手段５１による交流電界の形成を行うことなく、第２電界形成手段５２により右電極５４と左電極５６との間に交流電界を形成すると、上記交流電界の作用により、移動板４０が両電極間に蓄積される静電エネルギを最小化する状態、すなわち横状態となる。この横状態において、上記表示側から照射された照明光Ｌａが移動板４０で反射され移動板４０が表示される。すなわち移動板４０が視認される。
【００２５】
次に、図３に示すように、第２電界形成手段５２による交流電界の形成を停止させ、第１電界形成手段５１により上電極５３と下電極５５との間に交流電界を形成すると、この交流電界の作用により、移動板４０が上記両電極間に蓄積される静電エネルギを最小化する状態、すなわち、縦状態となる。この縦状態において、表示側から照射された照明光Ｌａはセル状領域３０中を通って黒色の対向基板１５に吸収され、この対向基板１５が黒色に視認される。
【００２６】
なお、上記２方向に向かう各交流電界の強さの比率を変えて移動板４０の傾きを変化させ、１つのセル状領域３０において黒色の対向基板１５が視認される割合と移動板４０が視認される割合とを変更することにより、移動板４０を表示させる際の階調を変えることができる。
【００２７】
以下、本発明の第２の実施の形態による透過型の表示装置１０２について説明する。図４は第２の実施の形態による透過型の表示装置の概略構成を示す斜視図、図５は移動板を表示させる様子を示す断面図、図６は対向基板を表示させる様子を示す断面図である。なお、図５および図６は図４の表示装置を図中の矢印Ｊ方向から見た断面図である。また、上記第１の実施の形態と同様の要素については同じ符号を用いその要素の説明は省略する。
【００２８】
上記透過型の表示装置１０２は、移動板として、セル状領域３０ａ、３０ｂ…毎に配置された黒色の不透明な移動板４１ａ、４１ｂ…（移動板４１ａ、４１ｂ…を移動板４１ともいう）を有し、対向基板として透明で表面が散乱面となっている対向基板１６を有し、各セル状領域３０ａ、３０ｂ…に対応する対向基板１６中の領域である対向基板領域１７ａ、１７ｂ…（以後、対向基板領域１７ａ、１７ｂ…をまとめて対向基板領域１７ともいう）がセル状領域３０ａ、３０ｂ…毎に互いに異なる色、例えば、対向基板領域１７ａは赤色、対向基板領域１７ｂは青色、対向基板領域１７ｃは緑色に着色されている。
【００２９】
上記図４のセル状領域３０ａにおいては横状態となった黒色の移動板４１ａが表示され、図４のセル状領域３０ｂにおいては移動板４１ｂが縦状態となり対向基板１６中の青色に着色された対向基板領域１７ｂが表示される表示状態となっている。また、図４のセル状領域３０ｃにおいては移動板４１ｃが上記縦状態と横状態との間の状態である斜めに傾く状態となっており、この斜めに傾く状態となった黒色の移動板４１ｃと緑色の対向基板領域１７ｃとが同時に表示された緑色の中間階調を示す表示状態となっている。
【００３０】
以下、電界形成手段５０による交流電界の作用により、移動板４１を縦状態あるいは横状態にして表示を行う場合について説明する。
【００３１】
図５に示すように、第２電界形成手段５２による交流電界の形成を行うことなく、第１電界形成手段５１により上電極５３と下電極５５との間に交流電界を形成すると、上記交流電界の作用により、移動板４１が横状態となる。この状態において、対向基板１６の側（図中矢印Ｈ２で示す、以後、背面側ともいう）から照射された照明光Ｌａが移動板４１で遮断され、表示側から移動板４１が黒色に視認される。
【００３２】
次に、図６に示すように、第１電界形成手段５１による交流電界の形成を停止させ、第２電界形成手段５２により右電極５４と左電極５６との間に交流電界を形成すると、上記交流電界の作用により、移動板４１が縦状態となる。この状態において、背面側から照射された照明光Ｌａは対向基板１６で散乱され、セル状領域３０、および透明基板１０を通って表示側（図中Ｈ１で示す）に射出され、着色された対向基板領域１７が表示側から視認される。
【００３３】
なお、上記２方向に向かう各交流電界の強さの比率を変えて移動板４１の傾きを変化させることにより、１つのセル状領域３０において着色された対向基板領域１７が視認される割合と黒色に着色された移動板４１が視認される割合とを変更することにより、対向基板領域１７を表示させる際の色の階調を変えることができる。
【００３４】
上記表示装置１０１、１０２の主要部の製作工程について以下に説明する。
【００３５】
（１）透明基板と対向基板の作成
ガラス基板上に、スパッタリングによって、Ｉｎ２Ｏ３−ＳｎＯ２からなる透明電極膜（以後、ＩＴＯという）を２００ｎｍの厚さに積層した。上記ガラス基板に積層したＩＴＯにマトリクス駆動が可能となるようにライン状の配線のパターンニングを行ない、その後、上記パターンニングされた上に絶縁層となる酸化珪素（ＳｉＯ２）を１００ｎｍの厚さに積層した。さらに、上記絶縁層上の後述する隔壁の格子構造に対応する位置に、ブラックマスクとなるクロム（Ｃｒ）をリフトオフ法により積層した。このようにして作成された基板を、透明基板および対向基板とした。
【００３６】
（２）隔壁の作成
ガラス基板上に形成したＩＴＯのパターン上に、ドライフィルムレジストによって幅２０μｍ、厚さ１１０μｍの線状に延びる壁部を組み合わせてなる格子状構造体を形成し、この格子状構造体をガラス基板から外して隔壁とした。
【００３７】
（３）移動板の作成
ガラス基板上に、純度９９．９９％、厚さ１０μｍのカーボン箔を貼り付け、フォトリソグラフィーおよびエッチングによって、上記ガラス基板上に縦２００μｍ、横２００μｍのカーボン箔からなる多数の平板を形成し、その後、このガラス基板から上記平板を剥離して、これらを移動板とした。
【００３８】
（４）組立て
上記対向基板を、この対向基板の表面に形成した上記ライン状のパターンが上を向くように配置し、この対向基板に形成された上記格子状のブラックマスクが上記隔壁の格子状構造に重なるようにこの隔壁を対向基板上に積層する。次に、隔壁の上側の開口から上記格子状構造を有する隔壁で囲まれたマトリクス状の各空間（セル状領域となる空間）に１つずつ移動板を挿入する。つづいて、透明基板の上記ライン状のパターンを下方に向けて、このライン状のパターンが上記対向基板のライン状のパターンに対して直交するように、上記透明基板の向きを定める。その後、この透明基板をこの透明基板の板面が延びる方向に平行移動させ、上記透明基板のブラックマスクが上記隔壁の格子状構造に重なるようにしてこの透明基板を隔壁上に配置し、透明基板と対向基板との間に隔壁を挟み込む。これにより、上記マトリクス状の空間がセル状領域として他の領域と区分される。最後に、上記セル状領域にシリコンオイルを満たし封止して表示装置の主要部を製作した。ここで、透明基板に積層された透明電極膜と対向基板に積層された透明電極膜との間隔がセルギャップとなる。
【００３９】
このようにして得られた表示装置は、透過型の表示装置として使用するときの開口率が約６０％であり、光利用効率が５０％であった。
【００４０】
以下、所定の表示を行うための交流電界の電圧を低くする設定について説明する。
【００４１】
はじめに、透明液体の誘電率および移動板の誘電率の設定に関する計算結果について説明する。
【００４２】
交流電界を形成するために電極間に印加する交流電圧をＶｏとする。また、移動板の板面方向が交流電界が向かう方向に一致する平行状態のときに蓄積される静電エネルギの大きさをＥ１とし、移動板の板面方向に直交する方向が交流電界が向かう方向に一致する直交状態のときに蓄積される静電エネルギをＥ２する。さらに、移動板が平行状態のときの電極間の蓄積電荷をＱ１とし、移動板が直交状態のときの電極間の蓄積電荷をＱ２とする。
【００４３】
ここで、移動板が平行状態のときと直交状態のときとの静電エネルギ差ΔＥは、
ΔＥ＝Ｅ１−Ｅ２＋Ｖｏ（Ｑ２−Ｑ１）
で示されるものであり、ΔＥが大きくなるほど移動板は動きやすくなる。ここで、移動板が傾きを変えるときの、この移動板に対する透明液体の抵抗（粘性に起因する抵抗）は十分に小さいものとする。
【００４４】
ここで、移動板の板面方向が交流電界が向かう方向に一致する平行状態のとき、および移動板の板面方向と直交する方向が交流電界が向かう方向に一致する直交状態のときの各部の寸法および位置関係をそれぞれ図７（ａ）、図７（ｂ）に示すものとすると、上記静電エネルギ差ΔＥを示す式中のＥ１、Ｅ２、Ｑ２、およびＱ１は以下の式で示すことができる、
【数１】
2005173113.tif 000003
【００４５】
但し、
ｘ：板面方向に沿った移動板の一辺の長さ
ｄ：移動板の厚み
Ｄ：電極間の距離
εｒ１：透明液体の比誘電率
εｒ２：移動板の比誘電率
εｏ：真空の誘電率
Ｖｏ：電極間に印加した電圧
である。
【００４６】
上記式に基づいて、移動板の寸法を１００μｍ（縦）×１００μｍ（横）×１０μｍ（厚さ）、交流電界を形成するための電極間の間隔であるセルギャップを２００μｍとし、透明液体の比誘電率ｅｐｒ１（上記式においてはεｒ１で示した）および移動板の比誘電率ｅｐｒ２（上記式においてはεｒ２で示した）を変化させたときの上記静電エネルギ差ΔＥの変化を求めた。その結果を、図８（ａ）の表、および図８（ｂ）に示すグラフに示す。
【００４７】
上記表およびグラフから解かるように、透明液体の誘電率が移動板の誘電率以下の場合（（ｅｐｒ１―ｅｐｒ２）≦０）、すなわち、透明液体の比誘電率から移動板の比誘電率を差し引いた値（以後、比誘電率差ともいう）が０以下の場合において、上記ΔＥの値は小さく略０である。一方、透明液体の誘電率が移動板の誘電率より大きくなる場合、すなわち、比誘電率差が０より大きい場合（（ｅｐｒ１―ｅｐｒ２）＞０）において、上記ΔＥの値は、上記比誘電率差が大きくなるにしたがって増大する。したがって、透明液体の誘電率が移動板の誘電率より大きい場合の方が、透明液体の誘電率が移動板の誘電率より小さい場合よりもエネルギ差が大きくなる。このことから透明液体の誘電率が移動板の誘電率より大きい場合の方が移動板が動きやすいといえる。
【００４８】
次に移動板の寸法の設定に関する計算結果について説明する
移動板の寸法を１００μｍ（縦）×１００μｍ（横）×ｄ（μｍ、厚さ）、セルギャップを２００μｍ、移動板の比誘電率ｅｐｒ２を２、移動板の板面の面積（１００００μｍ２＝１００μｍ×１００μｍ）に対する移動板を厚さ方向に切断したときの断面の最大面積（１００μｍ×√２×ｄ：対角線の長さ×厚さ）の比率を面積比γとし、透明液体の比誘電率ｅｐｒ１の値を１０、あるいは５０としたときのそれぞれに対して上記面積比γを０．０１から１まで変化させてΔＥの値を求めた。その結果を、図９（ａ）の表、および図９（ｂ）のグラフに示す。
【００４９】
上記表およびグラフから解かるように、面積比γが０．０５以上、０．５以下の領域は、最大の静電エネルギ差ΔＥｍａｘの６０パーセント以上の静電エネルギ差となる領域であり、この範囲においては移動板が動きやすいと考えられる。なお、面積比γ＝１となる移動板は、移動板の板面の面積と移動板を厚さ方向に切断したときの断面の最大面積とが略等しくなるので概略立方体形状となる。
【００５０】
次に、移動板の誘電率より透明液体の誘電率を大きくすることによって移動板が動きやすくなることを示す実験例について説明する。ここでは、上記と同様の製作工程を経て得られた表示装置を用い、移動板の誘電率を一定にして透明液体の誘電率を変えたときの、移動板の駆動に必要な駆動電圧の変化を求め、図１０（ａ）の表に示す値、および図１０（ｂ）に示すグラフを得た。
【００５１】
なお、上記駆動電圧は、電界形成手段が電極に付与する交流電圧であり、所定の表示を行うために最低限必要な電圧である。また、所定の表示を行うとは、予め定められた時間、例えば１秒以内に移動板を所望の傾きに変えることを意味する。したがって、駆動電圧の低下は表示にかかる時間が短くなることを意味する。表示時間の短縮化は動画等の短いフレームレートが必要な場合、特に有効である。
【００５２】
このとき使用した、カーボン箔からなる移動板の比誘電率ｅｐｒ２は４．０である。また、透明液体としては、図１０（ａ）に示す比誘電率ｅｐｒ１が３．４から２５．４の７種類を用いた。上記７種類のうちの製品名：ＡＹ４３−０４０のみが東レ・ダウコーニング・シリコーン（株）製の透明液体であり、それ以外は信越化学工業（株）製の透明液体である。また、透明液体の比誘電率ｅｐｒ１は、１５μｍの間隔をおいて対向する平行電極板の間の領域を上記透明液体で満たし、平行電極間に１Ｖ、１ＫＨｚの正弦波の電圧を印加して測定した値である。
【００５３】
上記表およびグラフから解かるように、透明液体としてＫＢＭ−３１０３Ｃ（比誘電率３．４）を使用したときには、比誘電率差は−０．６で０より小さく、駆動電圧は１００Ｖであった。そして、比誘電率差を大きくするにしたがって駆動電圧を下げることができ、透明液体としてＫＢＥ−５０３（比誘電率５．９）を使用し比誘電率差を１．９としたときには、駆動電圧を２０Ｖとすることができた。さらに、透明液体としてＫＢＭ−６０３（比誘電率２５．４）を使用し比誘電率差を２１．４にすると、駆動電圧を５Ｖまで下げることができた。したがって、比誘電率差は、０より大きいことが好ましく、駆動電圧を２０Ｖ以下にすることが可能な１．９以上とすることがさらに好ましい。なお、駆動電圧を２０Ｖ以下にすれば一般的なＴＦＴを駆動することが可能となる。
【００５４】
なお、上記透過型の表示装置は、光を透過させたり遮断したりすることができるので、光の透過と遮断とを切り替えるシャッタとして利用することができる。
【図面の簡単な説明】
【００５５】
【図１】第１の実施の形態による反射型の表示装置の概略構成を示す斜視図
【図２】移動板を表示させる様子を示す断面図
【図３】対向基板を表示させる様子を示す断面図
【図４】第２の実施の形態による透過型の表示装置の概略構成を示す斜視図
【図５】移動板を表示させる様子を示す断面図
【図６】対向基板を表示させる様子を示す断面図
【図７】移動板が直交状態のときおよび平行状態のときの各部の寸法と位置関係を示す図
【図８】計算で求めた比誘電率差と静電エネルギ差ΔＥとの関係を示す図
【図９】計算で求めた面積比γと静電エネルギ差ΔＥとの関係を示す図
【図１０】計算で得られた比誘電率差と移動板の駆動に必要な駆動電圧との関係を示す図
【図１１】液体で満たされたセル状領域中に配された移動板を交流電界の作用により移動させて表示を行う表示装置を示す斜視図
【符号の説明】
【００５６】
１０    透明基板
１５    対向基板
２０    透明液体
３０    セル状領域
３５    隔壁
４０    移動板
５０    電界形成手段
５１    第１電解形成手段
５２    第２電解形成手段
１０１    表示装置
【図１】
2005173113.tif 000004
【図２】
2005173113.tif 000005
【図３】
2005173113.tif 000006
【図４】
2005173113.tif 000007
【図５】
2005173113.tif 000008
【図６】
2005173113.tif 000009
【図７】
2005173113.tif 000010
【図８】
2005173113.tif 000011
【図９】
2005173113.tif 000012
【図１０】
2005173113.tif 000013
【図１１】
2005173113.tif 000014